(57)【要約】【課題】素足で履くフットカバーにおいて、履くときに履きやすいように十分に開いて歩くときに脱げないように閉じる開口部に設けられた伸縮性細幅生地が目立ちにくく、かつ、履き心地が良い。【解決手段】このフットカバー１００は、爪先と踵を含む足底とを被覆するとともに足甲および足首を露出するフットカバーであって、爪先部１０２Ａ、足底部１０２Ｂ、側辺部１０６Ａおよび踵部１０６Ｂで形成され、足底部１０２Ｂに対して上下反対側に足を出し入れするための開口部を設け、開口部を形成する側辺部１０６Ａの上縁を折り返した折り返し部１０６Ｒに伸縮性細幅生地１１６を内包して設けた。【選択図】図６
2015158031.tif 000002
【特許請求の範囲】
【請求項１】
爪先と踵を含む足底とを被覆するとともに足甲および足首を露出するフットカバーであって、足底部、側辺部、踵部および前記爪先を覆う筒状の爪先部で形成され、
前記足底部に対して上下反対側に足を出し入れするための開口部を設け、
前記開口部を形成する側辺部をその上縁で折り返し、
折り返した部分に伸縮性細幅生地を内包させたことを特徴とするフットカバー。
【請求項２】
前記足底部が延設されて前記爪先部が形成され、爪先が当接する部分に縫い目を備えないことを特徴とする、請求項１に記載のフットカバー。
【請求項３】
前記足底部が二重の生地で形成され、二重の生地の間にクッション材が内包されたことを特徴とする、請求項１または請求項２に記載のフットカバー。
【発明の詳細な説明】
【技術分野】
【０００１】
本発明は、着用するとパンプス（履き口である甲部分が大きく開いている主として婦人用の靴）等の靴の内側に隠れて見えなくなるフットカバーに関し、特に、歩行等の動作によっても脱げたり位置ずれすることが少なく、履き心地の良いフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【先行技術文献】
【特許文献】
【０００５】
【特許文献１】特開平１０−２９２２０６号公報
【特許文献２】実用新案登録第３１６５７３３号公報
【発明の概要】
【発明が解決しようとする課題】
【０００６】
しかしながら、特許文献１に開示されたフットカバーの摩擦付与体だけでは十分でない場合があり、この場合には、歩行時、パンプスの脱ぎ履き時にフットカバーが脱げてしまったり履き位置がずれてしまったりする。特許文献２に開示された平ゴムでは、開口部の周縁の全体に亘って平ゴムを設けているため（平ゴムの伸縮性にもよるが）、フットカバーを履くときに開口部が十分に開かないで履きにくい場合があることに加えて、特許文献１に開示されたフットカバーと同じく、パンプスの脱ぎ履き時にフットカバーが脱げてしまったり履き位置がずれてしまったりする問題もある。
【０００７】
さらに、特許文献２に開示された平ゴムは、開口部の周縁の生地の内側に接着されているため、かつ、この平ゴムは従来のフットカバーで使用されているゴム紐に比べてが大きく平坦であるため、平ゴムが目立ちやすいという問題がある。また、開口部の周縁の生地の内側に接着されているため、平ゴムの上縁が肌に当接して肌触りが好ましくないという問題もある。
【０００８】
本発明は、従来技術の上述の問題点に鑑みて開発されたものであり、その目的とするところは、フットカバーを履くときに開口部が十分に開いて履きやすく、かつ、歩行時およ
びパンプスの脱ぎ履き時にフットカバーが脱げてしまったり履き位置がずれてしまったりすることがないフットカバーであって、目立ちにくく、履き心地の良いフットカバーを提供することを目的とする。
【課題を解決するための手段】
【０００９】
上記目的を達成するため、本発明に係るフットカバーは以下の技術的手段を講じている。
すなわち、本発明に係るフットカバーは、爪先と踵を含む足底とを被覆するとともに足甲および足首を露出するフットカバーであって、足底部、側辺部、踵部および前記爪先を覆う筒状の爪先部で形成され、前記足底部に対して上下反対側に足を出し入れするための開口部を設け、前記開口部を形成する側辺部をその上縁で折り返し、折り返した部分に伸縮性細幅生地を内包させたことを特徴とする。
【００１０】
好ましくは、前記足底部が延設されて前記爪先部が形成され、爪先が当接する部分に縫い目を備えないように構成することができる。
さらに好ましくは、前記足底部が二重の生地で形成され、二重の生地の間にクッション材が内包されたように構成することができる。
さらに好ましくは、前記クッション材は、足指元部分に設けられたように構成することができる。
【００１１】
さらに好ましくは、前記伸縮性細幅生地の幅は、前記側辺部の折り返し幅と略等しいことを特徴とするように構成することができる。
さらに好ましくは、前記伸縮性細幅生地は、爪先部、足底部、側辺部および踵部を形成する生地のいずれかと同じ生地で形成することができる。
さらに好ましくは、前記伸縮性細幅生地は、爪先部、足底部、側辺部および踵部を形成する生地のいずれとも異なる生地で形成することができる。
【発明の効果】
【００１２】
本発明のフットカバーによれば、フットカバーを履くときに開口部が十分に開いて履きやすく、かつ、歩行時およびパンプスの脱ぎ履き時にフットカバーが脱げてしまったり履き位置がずれてしまったりすることがないようにでき、開口部に設けられた伸縮性細幅生地が目立ちにくく、履き心地も良い。
【図面の簡単な説明】
【００１３】
【図１】本発明の実施の形態に係るフットカバー（その１）の全体斜視図である。
【図２】図１のフットカバーを裏返した斜視図である。
【図３】図１のフットカバーの断面図（踵方向）である。
【図４】本発明の実施の形態に係るフットカバー（その２）の全体斜視図である。
【図５】図４のフットカバーを裏返した斜視図である。
【図６】図４のフットカバーの断面図（踵方向）である。
【図７】図４のフットカバーの断面図（爪先方向）である。
【図８】図４のフットカバーの裏面図である。
【図９】図４のフットカバーの断面図（横方向）である。
【発明を実施するための形態】
【００１４】
以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその縫製がどのようなものであっても構わない。そのため、以下に示すフットカバーの構造自体は単なる例示でしかない。なお、いずれのフットカバーを形成する生地も伸縮性生地である。
【００１５】
［全体構成］
図１〜図３に本発明の実施の形態に係るフットカバー１００を、図４〜図９に本発明の実施の形態に係る別のフットカバー２００を、それぞれ示す。図１および図４は、フットカバー１００およびフットカバー２００のそれぞれの全体斜視図であって、図２および図５はフットカバー１００およびフットカバー２００をそれぞれ裏返した斜視図であって、
図３ならびに図６および図７はフットカバー１００およびフットカバー２００の踵方向または爪先方向の断面図であって（断面線は図９に記載）、図８はフットカバー２００の裏面図であって、図９はフットカバー２００の横方向の断面図である。これらの図１〜図９のいずれの図も着用者の足Ｆにフットカバーを着用している状態を想定している。すなわち、本発明の実施の形態に係るフットカバーは、パンティストッキング等の伸縮性生地で形成されているために、このように想定して図示しない場合には縮んだ状態となり、形状を理解することが困難なため、上述のように想定している。
【００１６】
いずれのフットカバー１００、２００も、着用者の足Ｆの爪先と踵を含む足底とを被覆するとともに足甲および足首を露出するフットカバーである。いずれのフットカバー１００、２００も、着用時にパンプスから露出することのないよう履き口である開口部が大きくカットされた薄手の伸縮性生地（パンティストッキング等の生地）で形成されている。
フットカバー１００は、爪先部１０２Ａ、足底部１０２Ｂ、側辺部１０６Ａおよび踵部１０６Ｂで形成されている。フットカバー２００は、爪先部２０２Ａ、足底部２０２Ｂ、足底部２０２Ｃ、側辺部２０６Ａおよび踵部２０６Ｂで形成されている。
【００１７】
そして、足底部１０２Ｂ、２０２Ｂ、２０２Ｃに対して上下反対側に足を出し入れするための開口部が設けられている。この開口部を形成する側辺部１０６Ａ、２０６Ａの上縁に、それぞれ伸縮性細幅生地１１６、２１６が設けられている。
そして、第１の特徴部として後述するように、フットカバー１００、２００においては、開口部を形成する側辺部１０６Ａ、２０６Ａをその上縁で折り返した折り返し部１０６Ｒ、２０６Ｒを形成し、折り返した折り返し部１０６Ｒ、２０６Ｒに伸縮性細幅生地１１６、２１６を内包させていることを特徴とする。そして、この伸縮性細幅生地１１６、２１６の幅（フットカバー着用時の高さ方向長さ）は、側辺部１０６Ａ、２０６Ａの折り返し部１０６Ｒ、２０６Ｒの折り返し幅と略等しいことを特徴とする。
【００１８】
さらに、第２の特徴部として後述するように、フットカバー１００、２００においては、足底部１０２Ｂ、２０２Ｂが延設されて爪先部１０２Ａ、２０２Ａが形成され（すなわち爪先部１０２Ａと足底部１０２Ｂとは同じ生地１０２、爪先部２０２Ａと足底部２０２Ｂとは同じ生地２０２）、爪先が当接する部分に縫い目を備えないことを特徴とする。
なお、フットカバー１００とフットカバー２００とは、フットカバー２００の足底部が二重の生地（足底部２０２Ｂおよび足底部２０２Ｃ）で形成されておりこの二重の生地の間であって足指元部分にクッション材２２０が内包されている点が異なり、その他の構成は同じである。フットカバー２００におけるこれらの特徴（二重底およびクッション材２２０）は、第３の特徴部として後述する。
【００１９】
さらに、踵部１０６Ｂ、２０６Ｂにおいて、伸縮性細幅生地１１６、２１６が内包されている折り返し部１０６Ｒ、２０６Ｒの足Ｆ側（内側）には、シリコン樹脂等の薄い透明のシートで形成された踵部滑り止め１１８、２１８が設けられている。これにより、足Ｆの踵との密着性を高めてフットカバー１００、２００が足Ｆからずれることを防止できる。なお、この踵部滑り止め１１８、２１８は、本発明に係るフットカバーにおいて必須の構成ではない。
【００２０】
さらに、足底部１０２Ｂ、２０２Ｂにおいて、足Ｆが接する側と反対側（パンプスを履いたときにパンプスの内底に接する側）には、シリコン樹脂等の薄いシートで形成され、足底部滑り止めを設けるようにしても構わない。これにより、パンプスの内底との密着性を高めてパンプス内におけるフットカバー１００、２００の位置がずれることを防止できる。なお、この足底部滑り止めは、星柄模様等でデザイン性を高めることも好ましい。また、この足底部滑り止めは、本発明に係るフットカバーにおいて必須の構成ではない。
【００２１】
さらに、フットカバー１００、２００は爪先部１０２Ａに爪先開口部を備えないが、フットカバー２００は、爪先部１０２Ａ、２０２Ａに爪先開口部を設けても構わない。その爪先開口部の全周に伸縮性細幅生地が設けることも好ましい。この伸縮性細幅生地も後述する伸縮性細幅生地１１６、２１６と同様に、爪先開口部を形成する周縁を折り返した折り返し部に内包されて設けられる。このように伸縮性細幅生地を爪先開口部の周縁に設けると、後述する伸縮性細幅生地１１６、２１６と同様に、爪先開口部の周縁が折り返され
ているので、爪先開口部の周縁を折り返すことなく伸縮性細幅生地を設けた場合に比較して、伸縮性細幅生地の縁が肌に当接することがないので、滑らかな肌触りとなる。さらに、爪先開口部の全周に伸縮性細幅生地を上述した態様（爪先開口部の周縁を折り返した折り返し部に内包した態様）で設けているが、爪先開口部の一部分に伸縮性細幅生地を上述した態様で設けたものであっても構わない。
【００２２】
以下に、本実施の形態に係るフットカバー１００、２００における第１の特徴部および第２の特徴部ならびに本実施の形態に係るフットカバー２００における第３の特徴部について詳しく説明する。
［第１の特徴部］
図３、図６を参照して、側辺部１０６Ａ、２０６Ａの上縁を押し返した折り返し部１０６Ｒ、２０６Ｒに伸縮性細幅生地１１６、２１６を内包させている第１の特徴部について説明する。図３、図６は、このフットカバー１００、２００の長さ方向の略中央における断面図であって、爪先方向から踵方向を見た断面図である。これらの図３、図６に示すように、伸縮性細幅生地１１６、２１６は、側辺部１０６Ａ、２０６Ａの上縁で折り返した折り返し部１０６Ｒ、２０６Ｒに内包されている。この場合において、伸縮性細幅生地１１６、２１６の両面はフットカバーを形成する生地との接着性が良好な接着剤が塗布されていることが好ましい。そうではない場合には、折り返し部１０６Ｒ、２０６Ｒの対向する面に伸縮性細幅生地１１６、２１６との接着性が良好な接着剤が塗布されていることが好ましい。このような接着剤を用いて、折り返し部１０６Ｒ、２０６Ｒに伸縮性細幅生地１１６、２１６を挟み込むようにして、伸縮性細幅生地１１６、２１６が折り返し部１０６Ｒ、２０６Ｒに内包される。なお、いずれのフットカバー１００、２００においても、伸縮性細幅生地１１６、２１６は、フットカバー生地に、上述した接着剤に適した熱プレス装置により接合されている。
【００２３】
このように伸縮性細幅生地１１６、２１６を側辺部１０６Ａ、２０６Ａの上縁に内包させて設けると、開口部の伸縮性を維持しつつ、着用時に外観上で視認できる伸縮性細幅生地１１６、２１６を目立たなくさせることができ、外観上好ましい。さらに、側辺部１０６Ａ、２０６Ａの上縁が折り返し部１０６Ｒ、２０６Ｒの折り返し部分となるので、側辺部１０６Ａ、２０６Ａの上縁を折り返すことなく伸縮性細幅生地１１６、２１６を設けた場合に比較して、伸縮性細幅生地１１６、２１６の上縁が肌に当接することもなく、かつ、伸縮性細幅生地１１６、２１６を固定するための縫着線もないので、滑らかな肌触りとなる。
【００２４】
また、これらのフットカバー１００、２００においては、爪先部１０２Ａ、２０２Ａの上側の後縁にも伸縮性細幅生地１１６、２１６が設けられている。この部分も側辺部１０６Ａ、２０６Ａと同様に、爪先部１０２Ａ、２０２Ａの上縁を折り返して折り返し部１０２Ｒ、２０２Ｒを形成し、折り返した折り返し部１０２Ｒ、２０２Ｒに伸縮性細幅生地１１６、２１６を内包させている。
【００２５】
なお、本実施の形態においては、開口部の全周（すなわちフットカバー１００における爪先部１０２Ａおよび側辺部１０６Ａ、フットカバー２００における爪先部２０２Ａおよび側辺部２０６Ａ）に伸縮性細幅生地１１６、２１６を上述した態様（側辺部の上縁を折り返して折り返し部を形成しその折り返し部に内包した態様）で設けているが、開口部の一部分に伸縮性細幅生地を上述した態様で設けたものであっても構わない。たとえば、このような態様として、爪先部１０２Ａ、２０２Ａの上側の後縁に伸縮性細幅生地１１６、２１６が設けられていないものが考えられる。このように爪先部１０２Ａ、２０２Ａの上側の後縁に伸縮性細幅生地１１６、２１６が設けられていない場合であっても、伸縮性細幅生地１１６、２１６が設けられている部分においては、上述したように、開口部を形成する側辺部１０６Ａ、２０６Ａの上縁を折り返した折り返し部に伸縮性細幅生地１１６、２１６が内包されて設けられている。
【００２６】
［第２の特徴部］
図２〜図３および図５〜図７を参照して、フットカバー１００、２００において、足底部１０２Ｂ、２０２Ｂが延設されて爪先部１０２Ａ、２０２Ａが形成されている第２の特
徴部について説明する。なお、フットカバー２００においては、この第２の特徴部に加えて、足底部２０２Ｂと足底部２０２Ｃとの二重底を形成する第３の特徴部を備える。このため、この第２の特徴部の説明は、フットカバー１００で代表させて説明する。
【００２７】
このフットカバー１００は、伸縮性細幅生地１１６および踵部滑り止め１１８を除いて、２つの生地である生地１０２と生地１０６とが縫製されて形成されている。生地１０２は爪先部１０２Ａと足底部１０２Ｂとを形成し、生地１０６は側辺部１０６Ａと踵部１０６Ｂとを形成する。このように、爪先部１０２Ａと足底部１０２Ｂとが１枚の生地１０２で形成されているので爪先が当接する部分（足裏が当接する部分を除く）に縫い目を備えない。このため、このフットカバー１００の履き心地が好ましく滑らかな肌触りとなる。さらに、側辺部１０６Ａと踵部１０６Ｂとが１枚の生地１０６で形成されているので踵が当接する部分（足裏が当接する部分を除く）に縫い目を備えない。このため、このフットカバー１００の履き心地が好ましく滑らかな肌触りとなる。特に、このフットカバー１００を形成する生地を厚手にしたりジャガード柄（織物でも編物でもよい）にしたりしても生地の端部（切断部）が内側にくることになり見栄えが良く、裁断部から織糸や編糸が解れてくることがない。
【００２８】
なお、フットカバー２００においては二重底を形成しているが、図７に示すように、足底部２０２Ｃは、爪先部２０２Ａ（爪先部２０２Ａと足底部２０２Ｂとは１枚の生地２０２で形成）に、生地との接着性が良好な接着剤が両面に塗布された両面接着テープ２３０により貼付されており、フットカバー１００と同様に（二重底であるものにも関わらず）、爪先が当接する部分（足裏が当接する部分を除く）に縫い目を備えずフットカバー２００の履き心地が好ましく滑らかな肌触りとなる。
【００２９】
［第３の特徴部］
図４〜図７を参照して、フットカバー２００において、足底部が二重の生地（足底部２０２Ｂおよび足底部２０２Ｃ）で形成され、この二重の生地の間であって足指元部分にクッション材２２０が内包されている第３の特徴部について説明する。なお、フットカバー１００は、この第３の特徴部を備えない。このため、この第３の特徴部の説明は、フットカバー２００を用いて説明する。
【００３０】
フットカバー２００においてもフットカバー１００と同様に爪先部２０２Ａと足底部２０２Ｂとは１枚の生地２０２で形成でされている。フットカバー２００において二重底を形成するために、図６に示すように踵側においては足底部２０２Ｃが足底部２０２Ｂ（爪先部２０２Ａと足底部２０２Ｂとを形成する１枚の生地２０２の一部）と踵部２０６Ｂ（側辺部２０６Ａと踵部２０６Ｂとを形成する１枚の生地２０６の一部）とに縫着され、図７に示すように爪先側においては足底部２０２Ｃが爪先部２０２Ａに両面接着テープ２３０により貼付されている。
【００３１】
そして、図８および図９に示すように、二重の生地の間であって足指元部分にクッション材２２０が内包されている。このクッション材２２０は、シリコン樹脂等の薄いシートで形成されている。このクッション材２２０の形状、位置および素材は、歩行時の疲労を軽減すること等を目的として適宜選択されるものであることが好ましい。
クッション材２２０は靴底に当接する足底部２０２Ｂに縫着されており（縫着線２２２で示す）、クッション材２２０が足裏に当接する足底部２０２Ｃに縫着されておらず足裏側に縫着線が存在しない。なお、このクッション材２２０は、二重の生地の間に接着剤で貼付しても構わない。
【００３２】
このようにクッション材２２０を足指元部分に当接するように設けたのでこのフットカバー２００を着用して歩行したときに（たとえば）疲れにくい。さらに、このようにクッション材２２０を足裏側に縫着線が表れることなく設けたので、このフットカバー２００の履き心地が好ましく滑らかな肌触りとなる。また、足底部を二重底にしたので、歩行時に負荷がかかり破れやすい爪先部および踵部を補強することができる。
【００３３】
［生地］
なお、以下のように、伸縮性細幅生地は、爪先部、足底部、側辺部および踵部を形成する生地のいずれかと同じ生地で形成されていても構わないし、爪先部、足底部、側辺部お
よび踵部を形成する生地のいずれとも異なる生地で形成されていても構わない。
たとえば、フットカバー１００、２００において、このフットカバー１００、２００を形成する、爪先部１０２Ａ、２０２Ａ、足底部１０２Ｂ、２０２Ｂ（さらに足底部２０２Ｃ）、側辺部１０６Ａ、２０６Ａおよび踵部１０６Ｂ、２０６Ｂが同じ生地で形成されており、伸縮性細幅生地１１６、２１６がこの生地と同じ共生地である。すなわち、このフットカバー１００、２００は、全て同じ伸縮性生地で形成されている。
【００３４】
また、フットカバー１００、２００において、爪先部１０２Ａ、２０２Ａ、足底部１０２Ｂ、２０２Ｂ（さらに足底部２０２Ｃ）、側辺部１０６Ａ、２０６Ａおよび踵部１０６Ｂ、２０６Ｂが全て同じ生地とは限らず、伸縮性細幅生地１１６、２１６がこれらのいずれの生地とも異なるか、または、これらのいずれかの生地と同じであっても構わない。たとえば、このフットカバー１００、２００は、フットカバー１００、２００の爪先部１０２Ａ、２０２Ａ、側辺部１０６Ａ、２０６Ａおよび踵部１０６Ｂ、２０６Ｂは同じ伸縮性生地であって、足底部１０２Ｂ、２０２Ｂ（さらに足底部２０２Ｃ）および伸縮性細幅生地１１６、２１６は異なる伸縮性生地であって、足底部１０２Ｂ、２０２Ｂ（さらに足底部２０２Ｃ）と伸縮性細幅生地１１６、２１６とは同じ生地ではない（同じ生地であってもよい）。すなわち、この場合にはフットカバー１００、２００は、異なる２種類以上の伸縮性生地で形成されており、伸縮性細幅生地１１６、２１６は、爪先部１０２Ａ、２０２Ａ、足底部１０２Ｂ、２０２Ｂ（さらに足底部２０２Ｃ）、側辺部１０６Ａ、２０６Ａおよび踵部１０６Ｂ、２０６Ｂの生地と同じ生地であっても異なる生地であっても構わない。
【００３５】
さらに、本発明に係るフットカバーは他の態様であっても構わず、たとえば開口部に設けられる伸縮性細幅生地の種類とその位置との組合せにより、本発明に係るフットカバーは、
（１）開口部を形成する側辺部の上縁に設けられる伸縮性細幅生地が共生地で、かつ、爪先部の上側の後縁に伸縮性細幅生地が設けられていないフットカバーであっても（開口部の全周に伸縮性細幅生地が設けられているわけではない）、
（２）開口部を形成する側辺部の上縁に設けられる伸縮性細幅生地が共生地でなく、かつ、爪先部の上側の後縁に伸縮性細幅生地が設けられていないフットカバーであっても（開口部の全周に伸縮性細幅生地が設けられているわけではない）、
（３）開口部を形成する側辺部の上縁に設けられる伸縮性細幅生地が共生地で、かつ、爪先部の上側の後縁に伸縮性細幅生地が設けられているフットカバーであっても（開口部の全周に伸縮性細幅生地が設けられている）、
（４）開口部を形成する側辺部の上縁に設けられる伸縮性細幅生地が共生地でなく、かつ、爪先部の上側の後縁に伸縮性細幅生地が設けられているフットカバーであっても（開口部の全周に伸縮性細幅生地が設けられている）
構わない。
【００３６】
［実施の形態に係るフットカバーの効果］
以上のようにして、本実施の形態に係るフットカバーは、側辺部の上端を折り返して伸縮性細幅生地を内包したという第１の特徴部、爪先部に縫い目がない（二重底の爪先側はテープ）という第２の特徴部および／または二重底にしてクッション材を足指元部分に内包したという第３の特徴部を備えている。このため、開口部の伸縮性を維持しつつ、着用時に外観上で視認できる伸縮性細幅生地を目立たなくすることができ、外観上好ましく、側辺部の上縁に折り返すことなく伸縮性細幅生地を設けた場合に比較して、伸縮性細幅生地の上縁ではなく折り返された側辺部の生地が肌に当接するので滑らかな肌触りとなる。また、爪先が当接する部分（足裏が当接する部分を除く）に縫い目を備えないため、このフットカバーの履き心地が好ましく滑らかな肌触りとなる。さらに、このようにクッション材を足指元部分に当接するように設けたのでフットカバーを着用して歩行したときにたとえば疲れにくい。さらに、クッション材２２０を足裏側に縫着線が表れることなく設けたので、このフットカバー２００の履き心地が好ましく滑らかな肌触りとなるとともに、足底部を二重底にしたので、歩行時に負荷がかかり破れやすい爪先部および踵部を補強す
ることができる。
【００３７】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３８】
本発明は、素足で履くフットカバーに好適であり、開口部に設けられた伸縮性細幅生地が目立ちにくく、履き心地が良く、さらにフットカバーを履くときに開口部が十分に開いて履きやすく、かつ、歩行時およびパンプスの脱ぎ履き時にフットカバーが脱げてしまったり履き位置がずれてしまったりすることがない点で特に好ましい。
【符号の説明】
【００３９】
１００、２００  フットカバー
１０２、２０２  生地
１０２Ａ、２０２Ａ  爪先部
１０２Ｂ、２０２Ｂ、２０２Ｃ  足底部
１０６Ａ、２０６Ａ  側辺部
１０６Ｂ、２０６Ｂ  踵部
１０２Ｒ、２０２Ｒ  （爪先部の）折り返し部
１０６Ｒ、２０６Ｒ  （側辺部の）折り返し部
１１６、２１６  （側辺部の折り返し部に内包された）伸縮性細幅生地
１１８、２１８  踵部滑り止め
２２０  クッション材
２２２  縫着線
２３０  両面接着テープ
Ｆ  足
【図１】
2015158031.tif 000003
【図２】
2015158031.tif 000004
【図３】
2015158031.tif 000005
【図４】
2015158031.tif 000006
【図５】
2015158031.tif 000007
【図６】
2015158031.tif 000008
【図７】
2015158031.tif 000009
【図８】
2015158031.tif 000010
【図９】
2015158031.tif 000011